(57)【特許請求の範囲】
【請求項１】
柱と、左右方向に配置した梁と、柱と梁を連結する連結金具を備え、柱と梁は、少なくとも前後いずれか一方の見付け面にボルト頭の収納部を有し、連結金具は、柱と梁の見付け面内側に当接させて柱と梁の中空部内に挿入し、見込み方向から挿入したボルトを連結金具に螺合して固定してあり、ボルト頭の収納部の手前側にパネルを取付けることでボルト頭を隠してあることを特徴とする建築構造体。
【請求項２】
柱と、左右方向に配置した梁と、柱と梁を連結する連結金具を備え、柱と梁は、少なくとも前後いずれか一方の見付け面にボルト頭の収納部を有し、連結金具は、柱と梁の見付け面内側に当接させて柱と梁の中空部内に挿入し、見込み方向から挿入したボルトを連結金具に螺合して固定してあり、柱と梁に取付けたカバー材によりボルト頭を隠してあることを特徴とする建築構造体。
【請求項３】
柱と、左右方向に配置した梁と、柱と梁を連結する連結金具を備え、柱と梁は、少なくとも前後いずれか一方の見付け面にボルト頭の収納部を有し、さらに梁は下面に連結金具挿入孔を有し、連結金具は、柱と梁の見付け面内側に当接させて柱と梁の中空部内に挿入し、見込み方向から挿入したボルトを連結金具に螺合して固定してあり、ボルト頭の収納部の手前側にパネルを取付けることでボルト頭を隠してあることを特徴とする建築構造体。
【請求項４】
柱と、左右方向に配置した梁と、柱と梁を連結する連結金具を備え、柱と梁は、少なくとも前後いずれか一方の見付け面にボルト頭の収納部を有し、さらに梁は下面に連結金具挿入孔を有し、連結金具は、柱と梁の見付け面内側に当接させて柱と梁の中空部内に挿入し、見込み方向から挿入したボルトを連結金具に螺合して固定してあり、柱と梁に取付けたカバー材によりボルト頭を隠してあることを特徴とする建築構造体。
【発明の詳細な説明】
【技術分野】
【０００１】
本発明は、外観にボルトやナットを露出させずに柱と梁を接合する建築構造体に関する。
【背景技術】
【０００２】
従来、カーポートやシェルターなどの建築構造体の柱と梁の接合部には、一般的にボルトの頭やナットが外観から見えるので（例えば、特許文献１，２参照。）、高意匠のものに対応しようとすると問題があった。
【特許文献１】特開２００６−３１２８３６号公報
【特許文献２】特開２００５−１８００９３号公報
【発明の開示】
【発明が解決しようとする課題】
【０００３】
本発明は以上に述べた実情に鑑み、ボルトやナットが外観に露出しない建築構造体の提供を目的とする。
【課題を解決するための手段】
【０００４】
上記の課題を達成するために請求項１記載の発明による建築構造体は、柱と、左右方向に配置した梁と、柱と梁を連結する連結金具を備え、柱と梁は、少なくとも前後いずれか一方の見付け面にボルト頭の収納部を有し、連結金具は、柱と梁の見付け面内側に当接させて柱と梁の中空部内に挿入し、見込み方向から挿入したボルトを連結金具に螺合して固定してあり、ボルト頭の収納部の手前側にパネルを取付けることでボルト頭を隠してあることを特徴とする。
【０００５】
請求項２記載の発明による建築構造体は、柱と、左右方向に配置した梁と、柱と梁を連結する連結金具を備え、柱と梁は、少なくとも前後いずれか一方の見付け面にボルト頭の収納部を有し、連結金具は、柱と梁の見付け面内側に当接させて柱と梁の中空部内に挿入し、見込み方向から挿入したボルトを連結金具に螺合して固定してあり、柱と梁に取付けたカバー材によりボルト頭を隠してあることを特徴とする。
【０００６】
請求項３記載の発明による建築構造体は、柱と、左右方向に配置した梁と、柱と梁を連結する連結金具を備え、柱と梁は、少なくとも前後いずれか一方の見付け面にボルト頭の収納部を有し、さらに梁は下面に連結金具挿入孔を有し、連結金具は、柱と梁の見付け面内側に当接させて柱と梁の中空部内に挿入し、見込み方向から挿入したボルトを連結金具に螺合して固定してあり、ボルト頭の収納部の手前側にパネルを取付けることでボルト頭を隠してあることを特徴とする。
【０００７】
請求項４記載の発明による建築構造体は、柱と、左右方向に配置した梁と、柱と梁を連結する連結金具を備え、柱と梁は、少なくとも前後いずれか一方の見付け面にボルト頭の収納部を有し、さらに梁は下面に連結金具挿入孔を有し、連結金具は、柱と梁の見付け面内側に当接させて柱と梁の中空部内に挿入し、見込み方向から挿入したボルトを連結金具に螺合して固定してあり、柱と梁に取付けたカバー材によりボルト頭を隠してあることを特徴とする。
【発明の効果】
【０００８】
請求項１記載の発明による建築構造体は、柱と梁は少なくとも前後いずれか一方の見付け面にボルト頭の収納部を有し、連結金具を柱と梁の見付け面内側に当接させて柱と梁の中空部内に挿入し、見込み方向から挿入したボルトを連結金具に螺合して固定したので、ボルトの締め込みを見込み方向のみから行えばよいため、柱と梁の連結が容易に行える。また、ボルト頭の収納部の手前側にパネルを取付けることでボルト頭を隠してあるため、ボルト頭が外部に露出せず、外観も良好である。
【０００９】
請求項２記載の発明による建築構造体は、柱と梁は少なくとも前後いずれか一方の見付け面にボルト頭の収納部を有し、連結金具を柱と梁の見付け面内側に当接させて柱と梁の中空部内に挿入し、見込み方向から挿入したボルトを連結金具に螺合して固定したので、ボルトの締め込みを見込み方向のみから行えばよいため、柱と梁の連結が容易に行える。また、柱と梁に取付けたカバー材によりボルト頭を隠してあるため、ボルト頭が外部に露出せず、外観も良好である。
【００１０】
請求項３記載の発明による建築構造体は、柱と梁は少なくとも前後いずれか一方の見付け面にボルト頭の収納部を有し、連結金具を柱と梁の見付け面内側に当接させて柱と梁の中空部内に挿入し、見込み方向から挿入したボルトを連結金具に螺合して固定したので、ボルトの締め込みを見込み方向のみから行えばよいため、柱と梁の連結が容易に行える。さらに梁は、下面に連結金具挿入孔を有しているので、連結金具を梁の中空部内に挿入する際、連結金具挿入孔から下方より挿入することができ、梁の小口から挿入するよりも施工性がよく、また、梁の中間部を柱と連結することも容易である。また、ボルト頭の収納部の手前側にパネルを取付けることでボルト頭を隠してあるため、ボルト頭が外部に露出せず、外観も良好である。
【００１１】
請求項４記載の発明による建築構造体は、柱と梁は少なくとも前後いずれか一方の見付け面にボルト頭の収納部を有し、連結金具を柱と梁の見付け面内側に当接させて柱と梁の中空部内に挿入し、見込み方向から挿入したボルトを連結金具に螺合して固定したので、ボルトの締め込みを見込み方向のみから行えばよいため、柱と梁の連結が容易に行える。さらに梁は、下面に連結金具挿入孔を有しているので、連結金具を梁の中空部内に挿入する際、連結金具挿入孔から下方より挿入することができ、梁の小口から挿入するよりも施工性がよく、また、梁の中間部を柱と連結することも容易である。また、柱と梁に取付けたカバー材によりボルト頭を隠してあるため、ボルト頭が外部に露出せず、外観も良好である。
【発明を実施するための最良の形態】
【００１２】
以下、本発明の実施の形態を図面に基づいて説明する。図１は、本発明の建築構造体の一実施形態である簡易建物の斜視図であり、図２は同簡易建物の正面図であり、図３は同簡易建物の左側面図であり、図４は同簡易建物の平面図である。この簡易建物は、バスや電車の停留所の待合室として屋外に設置するものである。本簡易建物は、左右の側面側に、図３に示すように、前後方向に間隔をおいて立設した端柱１，１と、前後の端柱１，１の間に前後方向に間隔をおいて立設した複数の中間柱２，２を備えており、上面側には、図４に示すように、前後方向に間隔をおいて配置した端梁３，３と、端梁３，３の間に前後方向に間隔をおいて配置した複数の中間梁４，４を備えており、各端柱１の上端部と各端梁３の端部、各中間柱２の上端部と各中間梁４の端部とが接合してある。端柱１と中間柱２の間、中間柱２同士の間には、竪パネル５ａが柱の見込み面と平行に竪に取付けてあり、端梁３と中間梁４の間、中間梁４同士の間には、横パネル５ｂが梁の見込み面と平行に横に取付けてある。端柱１と中間柱２には、図４に示すように、連結棒６を渡して固定してあり、地震等により柱１，２間が広がるのを防いでいる。図２と図４に示すように、正面側の中央よりやや左側の位置には端柱７と中間柱８とが前後方向に間隔をおいて立設してあり、端柱７と中間柱８の上端部を端梁３と中間梁４の中間部にそれぞれ接合してある。当該端柱７と中間柱８の間にも、竪パネル５ａが取付けてある。この左右方向中間の端柱７と右側の端柱１の間には、竪パネル５ｃが柱梁の見込み面と垂直に取付けてあり、中間の端柱７と左側の端柱１の間が出入り口９ａとして開口させてある。背面側の中央よりやや右側の位置には、端柱７と中間柱８が前後方向に間隔をおいて設けてあり、端柱７と中間柱８の上端部を端梁３と端梁４の中間部にそれぞれ接合してあり、当該端柱７と中間柱８の間に竪パネル５ａが柱の見込み面と平行に取付けてあり、この左右方向中間の端柱７と左側の端柱１との間に竪パネル５ｄが柱梁の見込み面と垂直に取付けてあり、中間の端柱７と右側の端柱１の間が出入り口９ｂとして開口させてある。正面側の中間柱８と背面側の中間柱８の間は、人が通れる通路になっている。竪パネル５ａ，５ｃ，５ｄ、横パネル５ｂは、合わせガラスを使用している。
以下、各柱梁の構造、柱梁の接合部の構造について詳細に説明する。
【００１３】
端梁３は、図５に示すように、扁平な長方形断面の中空材となっており、長方形の短辺側が見付け面側になるように配置してある。端梁３の見付け寸法は６０ｍｍ、見込み寸法は２５０ｍｍとなっている。端梁３は、梁本体１０と、梁本体１０の前側の見付け面に取付けられる見付け面カバー材１１と、パネル受け材１２と、梁本体１０の下面と後側の見付け面をカバーする見込み面カバー材とで構成してある。見込み面カバー材は、図１６に示すように、左右方向の中間に立設した端柱７の左側と右側とで分割されており、端柱７の左側にはパネル非取付時用見込み面カバー材１３が取付けてあり、端柱７の右側にはパネル取付時用見込み面カバー材４８が取付けてある。梁本体１０、見付け面カバー材１１、見込み面カバー材１３，４８、パネル受け材１２は、何れもアルミニウム合金の押出形材で形成したものである。
【００１４】
梁本体１０は、図５に示すように、対向する上下壁１４，１５と、上下壁１４，１５を連結する連結壁１６，１６とで中空部１７を形成してあり、前後の見付け面に溝状の凹部１８ａ，１８ｂを設けてある。前側の凹部１８ａは、後述する連結金具１９，２０固定用の高力ボルト２１のボルト頭２１ａの収納部２３を構成しており、後側の凹部１８ｂは横パネル５ｂの呑み込み部となっており、該凹部１８ｂのさらに前後方向奥側にボルト頭２１ａの収納部２３が中空状に形成してある。上壁１４の後側端部には、横パネル５ｂの外側面を受ける外側パネル受け部２６ａを有している。下壁１５の前側の先端部は、凹部１８ａ内に直角に折り曲げてパネル受け部１５ａを形成してあるが、端柱７よりも左側ではこのパネル受け部１５ａは使用していない。パネル受け部１５ａは、見付け面カバー材１１と見込み面カバー材１３，４８で隠れて外部から見えないようにしてある。
見付け面カバー材１１は、略アングル状断面となっており、前後方向にのびる取付片１１ａを梁本体１０の前側の凹部１８ａ内に呑み込ませ、上壁１４の下面に鉤状の係合部１１ｂを係合させてビス２４で固定してある。
パネル受け材１２は、略コ字形断面に形成され、梁本体１０の後側の凹部１８ｂ内に先端部を係合して収納し、下壁１５にビス２５で固定してある。合わせガラスで形成した横パネル５ｂは、外側のガラス５ｂ１の端部から内側のガラス５ｂ２の端部をはみ出させて前後の横辺部を一段薄く形成してあり、この横辺部を梁本体１０の外側パネル受け部２６ａとパネル受け材１２とで挟持している。外側のガラス５ｂ１は、端梁３の建物外側の見込み面５０と同一面となっており、外側のガラス５ｂ１の端面と上壁１４との間の隙間をシール材２７でシールしてある。
パネル非取付時用見込み面カバー材１３は、梁本体１０の下面をカバーする横壁部１３ａと、梁本体１０の後側の見付け面をカバーする竪壁部１３ｂとを有し、横壁部１３ａを梁本体１０の下壁１５と鉤状の係合部１３ｃで係合し、竪壁部１３ｂをパネル受け材１２にビス２８で固定している。横壁部１３ａの前側の端部は、見付け面カバー材１１に形成した溝１１ｃ内に係合している。パネル取付時用見込み面カバー材４８は、上記パネル非取付時用見込み面カバー材１３の横壁部１３ａの前側端部を切除して、図７に示すように、横壁部１３ａの先端と見付け面カバー材１１との間に竪パネル５ｃを挿通する隙間が形成されるようにしたものであり、竪パネル５ｃの内側のガラスの横辺部を梁本体１０のパネル受け部１５ａと見付け面カバー材１１とで挟持している。すなわち見付け面カバー材１１は、正面の竪パネル５ｃを取付けるための押縁を兼ねるものとなっている。
【００１５】
中間梁４は、図５に示すように、端梁３と同じような扁平な長方形断面の中空材となっており、梁本体３７と、梁本体３７の下面側に取付けられる梁カバー材３８と、パネル受け材１２とで構成してある。梁本体３７は、端梁３の梁本体１０の後側半分を前後対称に設けた断面形状となっており、前後の見付け面側に凹部１８ａ，１８ｂとボルト頭の収納部２３とをそれぞれ有し、上壁１４の前後の端部に横パネル５ｂの外側面を受ける外側パネル受け部２６ａを有しており、両方の凹部１８ａ，１８ｂ内にパネル受け材１２をそれぞれ収納して取付け、梁本体３７の外側パネル受け部２６ａとパネル受け材１２とで横パネル５ｂの横辺部を挟持している。梁カバー材３８は、梁本体３７の下面をカバーする横壁３８ａの前後両側に、梁本体３７の前後の見付け面をそれぞれカバーする竪壁３８ｂを設けてあり、竪壁３８ｂによりパネル受け材１２とボルト頭の収納部２３を隠している。
【００１６】
左右の端柱１は、図６と図８に示すように、先に説明した端梁３の梁本体１０、見付け面カバー材１１、パネル受け材１２、見込み面カバー材１３，４８と同一断面の柱本体２９、見付け面カバー材３９、パネル受け材１２、見込み面カバー材４０，４９を、端梁３と同じように組合わせて構成してある。柱本体２９の後ろ側の凹部１８ｂ内には、竪パネル５ａの竪辺部を呑み込ませ、柱本体に形成した外側パネル受け部２６ｂとパネル受け材１２とで挟持している。柱本体の見込み面５１と竪パネル５ａの外側面は、同一面となっている。左側の端柱１は、図６に示すように、見込み面カバー材としてパネル非取付時用見込み面カバー材４０を取付けてあり、当該見込み面カバー材４０の前側端部を見付け面カバー材３９と係合している。右側の端柱１には、図８に示すように、見込み面カバー材としてパネル取付時用見込み面カバー材４９を取付けてあり、パネル受け部１５ａと見付け面カバー材３９とで竪パネル５ｃの竪辺部を挟持している。左右方向の中間部に設けた端柱７は、図１３に示すように、右側の端柱１と同一断面の柱本体２９、見付け面カバー材３９、パネル受け材１２、パネル取付時用見込み面カバー材４９を同じように組合わせて構成してあり、見付け面カバー材３９とパネル受け部１５ａとで竪パネル５ｃの竪辺部を挟持し、パネル受け材１２と柱本体の外側パネル受け部２６ｂとで竪パネル５ａの竪辺部を挟持している。
【００１７】
左右の中間柱２は、図６と図８に示すように、中間梁４の梁本体３７、パネル受け材１２、梁カバー材３８と同一断面の柱本体４１、パネル受け材１２、柱カバー材４２を、中間梁４と同じように組合わせて構成してあり、柱本体４１の前後の凹部１８ａ，１８ｂ内に竪パネル５ａの竪辺部を呑み込ませ、柱本体の外側パネル受け部２６ｂとパネル受け材１２とで挟持している。建物内部に設けた中間柱８は、図１３に示すように、端柱１，７と同一断面の柱本体２９を前後逆向きに配置し、前側の凹部内にパネル受け材１２を取付け、パネル受け材１２と柱本体の外側パネル受け部２６ｂとで竪パネル５ａの竪辺部を挟持し、右側の見込み面にパネル非取付け時用見込み面カバー材４０を取付け、後側の見付け面に見付け面カバー材３９を取付けている。
【００１８】
端柱１の上端部と端梁３の端部とは、図１１に示すように、アングル状の連結金具１９を前後に二組使用して連結している。連結金具１９は、厚い鉄板をＬ形に切断し、その横向き片１９ａと竪向き片１９ｂに各片の長手方向に間隔をあけてボルト挿通孔３０を２つずつ開け、図５に示すように、各連結金具１９の対向する内側面に、ナット３１を回り止めして保持するレール状のナットホルダー４３をビス止めし、各ボルト挿通孔３０に対応した位置にナット３１を固定してある。梁本体１０の下壁１５と柱本体２９の内側壁３２には、図１１に示すように、連結金具１９挿入用の切り欠き３３が連結金具１９の厚みと同じ幅で形成してある。また、柱本体２９と梁本体１０の連結壁１６にはボルト挿通孔３４が形成してあり、連結壁１６の外側に位置する壁には、ボルトを回す工具を差し入れるための孔や切り欠きを適宜形成してある。
連結金具１９は、図５〜８に示すように、それぞれの外側面を梁本体１０と柱本体２９の前後の連結壁１６の内側面にそれぞれ当接させて、竪横の各片１９ａ，１９ｂを梁本体１０と柱本体２９の中空部１７内に小口から挿入し、梁本体１０と柱本体２９の見付面に前側と後側から挿入した高力ボルト２１を、前後の各連結金具１９の内側面に固着したナット３１に螺合することで固定され、梁本体１０と柱本体２９の端部が連結金具１９により剛接合される。その後、梁本体１０と柱本体２９に見付け面カバー材１１，３９、見込み面カバー材１３，４０，４８，４９をそれぞれ取付けると、図５〜１０に示すように、ボルト頭の収納部２３、パネル受け部１５ａ、柱梁の切り欠き３３、連結金具１９、パネル受け材１２が、これらのカバー材１１，１３，３９，４０，４８，４９によって隠れ、外部から見えなくなる。
中間柱２と中間梁４の端部も、これと同じようにアングル状の連結金具１９を使用して連結している。
【００１９】
左右方向の中間部に立設した端柱７の上端部と端梁３の中間部とは、図１６に示すようなＴ字状の連結金具２０を前後に二組使用して連結している。連結金具２０は、厚い鉄板をＴ字形に切断し、横向き片２０ａと竪向き片２０ｂの長手方向に複数のボルト挿通孔３０を開け、内側面の各ボルト挿通孔３０に対応した位置にナット３１を固着したものとなっている。柱本体２９の内側壁３２には連結金具挿入用の切り欠き３３が形成してあり、梁本体１０の下壁１５には、連結壁１６間を四角い孔状に開口させて連結金具挿入孔３５を形成してある。連結金具２０は、図１２と図１３に示すように、それぞれの外側面を梁本体１０と柱本体２９の前後の連結壁１６の内側面にそれぞれ当接させて、柱本体２９と梁本体１０の中空部１７内に上下方向から挿入し、梁本体１０と柱本体２９の見付け面に前側と後側から挿入した高力ボルト２１を、前後の各連結金具２０の内側面に固着したナット３１に螺合することで固定され、柱本体２９の上端部と梁本体１０の中間部とが剛接合される。その後、梁本体１０と柱本体２９に見付け面カバー材１１，３９、見込み面カバー材１３，４８，４９をそれぞれ取付けると、図１２〜１５に示すように、ボルト頭の収納部２３、パネル受け部１５ａ、柱本体２９の切り欠き３３と梁本体１０の連結金具挿入孔３５、連結金具２０、及びパネル受け材１２が、これらのカバー材１１，１３，３９，４８，４９によって隠れ、外部から見えなくなる。
中間柱８の上端部と中間梁４の中間部も、これと同じようにＴ字状の連結金具２０を使用して連結している。
【００２０】
本簡易建物の施工手順を簡単に説明すると、まず全ての柱１，２，７，８の柱本体２９，４１を立設し、柱本体２９，４１の上端部に連結金具１９，２０を使用して各梁の梁本体１０，３７を左右方向に架設する。次に、各柱１，２，７，８間と梁３，４間に竪パネル５ａ，５ｃ，５ｄ、横パネル５ｂを、見付け面カバー材１１，３９とパネル受け材１２を取付けながら順次取付ける。その後、柱本体２９，４１と梁本体１０，３７に、カバー材１３，３８，４０，４２，４８，４９を取付ける。
【００２１】
以上に述べたように本簡易建物は、柱本体２９，４１と梁本体１０，３７とが、連結金具１９，２０を中空部１７の見付け面内側に当接して中空部１７内に挿入し、柱本体２９，４１と梁本体１０，３７の見付け面外側から高力ボルト２１を挿入して連結金具１９，２０内側面に固着したナット３１にねじ込むことで簡便に剛接合でき、尚且つ十分な連結強度を確保できる。しかも、柱本体２９，４１と梁本体１０，３７は、各見付け面にボルト頭の収納部２３を有しており、柱本体２９，４１と梁本体１０，３７の長手方向に取付けたカバー材１１，１３，３８，３９，４０，４８，４９により、ボルト頭の収納部２３、パネル受け材１２、パネル受け部１５ａ、柱と梁に形成した連結金具挿入孔３５や切り欠き３３を隠してあるため、ボルトや金具等が外観に露出しない美しいデザインとなっている。
また本簡易建物は、端柱１と端梁３の見込み面カバー材として、パネル取付時用見込み面カバー材４８，４９とパネル非取付け時用見込み面カバー材１３，４０をそれぞれ準備してあり、そのいずれかの見込み面カバー材を選択することで、交差する柱と梁に跨って竪パネル５ｃ，５ｄを取付ける場合と、取付けない場合のどちらにも対応できるものとなっている。例えば、竪パネル５ｃを取付けない場合には、柱本体１０にパネル取付時用見込み面カバー材４９の代わりにパネル非取付時用見込み面カバー材４０を取付け、梁本体１０にパネル取付時用見込み面カバー材４８の代わりにパネル非取付時用見込み面カバー材１３を取付ければよく、柱本体２９と梁本体１０と見付け面カバー材１１，３９は、パネル５ｃを取付ける場合と取付けない場合で共用できる。
さらに本簡易建物は、略同一の扁平な長方形断面の柱１，２，７，８と梁３，４を、短辺側が見付け面側となるように配置したことで、柱１，２，７，８と梁３，４が非常にスリムで統一感のあるものとなっており、柱１，２，７，８と梁３，４を前後方向に間隔をあけて配置し、柱１，２，７，８間と梁３，４間にパネル５ａ，５ｂ，５ｃ，５ｄを取付けたことで、天井や壁から光をふんだんに取り入れることができ、しかも各パネルを合わせガラスとし、竪横のパネル５ａ，５ｂの外側面を柱と梁の見込み面５０，５１と同一面となるように配置してあるので、左右の側面と天井面で柱１，２，７，８及び梁３，４とパネル５ａ，５ｂとの間で段差の無いすっきりした意匠になっている。
【００２２】
図１７は、柱３６と梁４７の端部同士をアングル状の連結金具１９で連結する他の実施形態を示している。連結金具１９は、横向き片１９ａと竪向き片１９ｂの幅を柱本体２９と梁本体１０の中空部１７の内寸と略同一にしてあり、柱本体２９と梁本体１０に図１１に示すような切り欠き３３を形成することなく連結金具１９を中空部１７内に挿入できるようにしている。柱３６と梁４７は、前後両方の見付け面側に形成した凹部１８ａ，１８ｂ内にボルト頭２１ａを収納し、且つ凹部１８ａ，１８ｂ内に呑み込ませて柱３６と梁４７の見付け面に見付け面カバー材１１，３９を取付けている。柱本体２９と梁本体１０の見込み面側には、カバー材は取付けていない。なお、本実施形態は、請求項１記載の発明の実施形態に相当する。
【００２３】
図１８は、柱３６上端部と梁４７の中間部をＴ字状の連結金具２０で連結する他の実施形態を示している。連結金具２０は、上記の実施形態と同じように柱本体２９と梁本体１０の中空部１７内に収まるものとなっており、柱３６の見込み面にはカバー材を取付けておらず、梁４７の見込み面には連結金具挿入孔３５を隠すために梁カバー材４６を取付けている。柱３６と梁４７は、前後両方の見付け面側に形成した凹部１８ａ，１８ｂ内にボルト頭２１ａを収納し、且つ凹部１８ａ，１８ｂ内に呑み込ませて柱３６と梁４７の見付け面に見付け面カバー材１１，３９を取付け、ボルト頭の収納部２３を隠している。見付け面カバー材１１と梁カバー材４６とは、一体で形成することもできる。
【００２４】
本発明は、以上に述べた実施形態に限定されない。柱本体と梁本体は、前後何れか一方の見付け面だけにボルト頭の収納部が設けてあり、一つの連結金具で柱本体と梁本体を連結し、柱本体と梁本体の一方の見付け面だけに柱カバー材と梁カバー材を取り付けたものであってもよい。また、柱本体と梁本体の前後何れか一方の見付け面だけにパネル受け部を有し、当該パネル受け部を利用して、パネルを柱梁の見込み面と平行または垂直にパネルを取付けたものであってもよい。パネルは、合わせガラスに限らず、例えば透明な樹脂製のパネルや、ガラスや樹脂以外の材質の不透明なものを用いることもできる。柱と梁の見込み面と平行に取付ける竪横のパネルは、一枚のパネルを折り曲げて一体に形成することもできる。連結金具は、横向き片を竪向き片に対して直角ではなく斜め傾けて設けることで、柱に対して梁を任意の角度で斜めに連結することもできる。柱と梁は、略正方形断面であってもよく、また長方形断面として長辺側を見付け面側にして配置したものであってもよい。本発明は、柱と梁を連結するあらゆる建築構造体に利用することができ、柱と梁に直接パネルを取付けないものであってもよい。
【図面の簡単な説明】
【００２５】
【図１】本発明の建築構造体の一実施形態である簡易建物の斜視図である。
【図２】同簡易建物の正面図である。
【図３】同簡易建物の左側面図である。
【図４】同簡易建物の平面図である。
【図５】図２のＡ−Ａ断面図である。
【図６】図２のＢ−Ｂ断面図である。
【図７】図２のＣ−Ｃ断面図である。
【図８】図２のＤ−Ｄ断面図である。
【図９】図２のＸ部を拡大して示す正面図である。
【図１０】図５のＧ−Ｇ断面図である。
【図１１】図２のＸ部の分解斜視図である。
【図１２】図２のＥ−Ｅ断面図である。
【図１３】図２のＦ−Ｆ断面図である。
【図１４】図２のＹ部を拡大して示す正面図である。
【図１５】図１２のＨ−Ｈ断面図である。
【図１６】図２のＹ部の分解斜視図である。
【図１７】柱の上端部と梁の端部との連結部分の他の実施形態を示す竪断面図である。
【図１８】柱の上端部と梁の中間部との連結部分の他の実施形態を示す竪断面図である。
【符号の説明】
【００２６】
１，７  端柱（柱）
２，８  中間柱（柱）
３  端梁（梁）
４  中間梁（梁）
５ａ，５ｃ，５ｄ  竪パネル
５ｂ  横パネル
１０  梁本体
１１  見付け面カバー材（梁カバー材）
１２  パネル受け材（内側パネル受け部）
１３  パネル非取付時用見込み面カバー材（梁カバー材）
１５ａ  パネル受け部
１７  中空部
１９  連結金具（アングル状）
２０  連結金具（Ｔ字状）
２１  高力ボルト（ボルト）
２１ａ  ボルト頭
２３  ボルト頭の収納部
２６ａ，２６ｂ  外側パネル受け部
２９  柱本体
３０  ボルト挿通孔
３１  ナット
３５  連結金具挿入孔
３６  柱
３７  梁本体
３８，４６  梁カバー材
３９  見付け面カバー材（柱カバー材）
４０  パネル非取付時用見込み面カバー材（柱カバー材）
４１  柱本体
４２  柱カバー材
４７  梁
４８  パネル取付時用見込み面カバー材（梁カバー材）
４９  パネル取付時用見込み面カバー材（柱カバー材）
【図１】
0005457527.tif 000002
【図２】
0005457527.tif 000003
【図３】
0005457527.tif 000004
【図４】
0005457527.tif 000005
【図５】
0005457527.tif 000006
【図６】
0005457527.tif 000007
【図７】
0005457527.tif 000008
【図８】
0005457527.tif 000009
【図９】
0005457527.tif 000010
【図１０】
0005457527.tif 000011
【図１１】
0005457527.tif 000012
【図１２】
0005457527.tif 000013
【図１３】
0005457527.tif 000014
【図１４】
0005457527.tif 000015
【図１５】
0005457527.tif 000016
【図１６】
0005457527.tif 000017
【図１７】
0005457527.tif 000018
【図１８】
0005457527.tif 000019